(57)【要約】【課題】ある番組放送における周波数帯の切替において、切替時間を短縮することを目的とする。【解決手段】この目的を達成する為に、本発明の受信装置１は、異なるエリアにおいて異なる周波数帯で放送されている同一の番組放送を切替受信する受信部３を備えた受信装置であって、受信部３における周波数帯の切替履歴を記憶する記憶部８と、受信装置１があるエリアから他のエリアに移動する場合、記憶部８に記憶された切替履歴に基づいて、受信部３に異なる周波数帯の前記番組放送を切替受信させる制御部７とを有する。【選択図】図１
2007129389.tif 000002
【特許請求の範囲】
【請求項１】
異なるエリアにおいて異なる周波数帯で放送されている同一の番組放送を切替受信する受信部を備えた受信装置であって、
前記受信部における前記番組放送の周波数帯の切替履歴を記憶する記憶部と、
前記受信装置があるエリアから他のエリアに移動する場合、前記記憶部に記憶された前記切替履歴に基づいて、前記受信部に異なる周波数帯の前記番組放送を切替受信させる制御部とを有する受信装置。
【請求項２】
前記受信部が受信した前記番組放送の受信品質を検出する受信品質検出部を有し、
前記制御部は、前記受信品質検出部が検出した前記受信品質が所定レベル以下になった場合、前記記憶部に記憶された前記切替履歴に基づいて、前記受信部に異なる周波数帯の前記番組放送を切替受信させる請求項１に記載の受信装置。
【請求項３】
前記受信装置の位置情報を検出する位置情報検出部を有し、
前記制御部は、前記位置情報検出部によって前記受信装置があるエリアから他のエリアに移動すると検出された場合、前記記憶部に記憶された前記切替履歴に基づいて、前記受信部に異なる周波数帯の前記番組放送を切替受信させる請求項１に記載の受信装置。
【請求項４】
時刻情報を保持する時刻保持部を有し、
前記記憶部は、前記番組放送の前記切替履歴として、前記時刻保持部からの前記時刻情報を記憶し、
前記制御部は、前記受信装置があるエリアから他のエリアに移動する場合、前記記憶部に記憶された前記時刻情報に基づいて、前記受信部に異なる周波数帯の前記番組放送を切替受信させる請求項１に記載の受信装置。
【請求項５】
前記記憶部に記憶された前記切替履歴から、切替頻度順に切替先を並べた切替リストを作成し、この切替リストを前記記憶部に記憶させる演算部を有し、
前記制御部は、前記受信装置があるエリアから他のエリアに移動する場合、前記記憶部に記憶された前記切替リストに基づいて、前記受信部に異なる周波数帯の前記番組放送を切替受信させる請求項１に記載の受信装置。
【請求項６】
前記制御部が、前記記憶部に記憶された前記切替履歴に基づいて、前記受信部に異なる周波数帯の前記番組放送を切替受信させるか否かを選択可能とした請求項１に記載の受信装置。
【発明の詳細な説明】
【技術分野】
【０００１】
本発明は、番組放送を受信する受信装置に関するものである。
【背景技術】
【０００２】
以下、従来の受信装置について、図面を用いて説明する。図１３は、従来の受信装置のブロック図である。図１３において、受信装置１０１は、アンテナ１０２の出力側に接続され、特定の周波数帯の番組放送を受信する受信部１０３と、この受信部１０３が受信した周波数帯の情報を記憶する記憶部１０８と、この記憶部１０８の受信周波数帯情報を読み込み、受信部における周波数帯を設定する制御部１０７を有する。また、受信装置１０１は、受信部１０３からの信号を復調する復調部１０４と、この復調部１０４からの信号をデコードする信号処理部１０５と、この信号処理部１０５からの信号である番組放送を再生する再生部１０６とを有する。
【０００３】
ここで、同一の番組放送が異なる第１エリア、第２エリア、及び第３エリアにおいて、それぞれ異なる周波数帯で放送される放送方式における、受信装置１０１の動作を説明する。
【０００４】
受信装置１０１が第１エリアから第２エリアに移動する場合、受信部１０３は、ある周波数帯の番組放送を受信中の状態から、記憶部１０８に記憶された受信履歴に基づいて、同じ番組放送であることを示す放送情報が含まれている異なる周波数帯の番組放送を切替受信する。例えば、デジタル音声放送であるＤＡＢ（Ｄｉｇｉｔａｌ  Ａｕｄｉｏ  Ｂｒｏａｄｃａｓｔｉｎｇ）におけるサービスリンキングがこれに該当する。
【０００５】
なお、この出願の発明に関連する先行技術文献としては、例えば、特許文献１が知られている。
【特許文献１】特開２００２−１８５４１４号公報
【発明の開示】
【発明が解決しようとする課題】
【０００６】
このような従来の受信装置において、制御部１０７は、単に記憶部１０８に記憶された受信履歴に基づいて、異なる周波数帯に切替えるだけだったので、第２エリアにおいて同一の番組放送が含まれる周波数帯を選択する可能性が低かった。その結果、受信部１０３が同一の番組放送を再び受信可能となるまでに、時間がかかるという問題があった。
【０００７】
そこで本発明における受信装置は、この問題を解決したもので、受信部が同一の番組放送を再び受信可能となるまでの時間を短縮することを目的とする。
【課題を解決するための手段】
【０００８】
この目的を達成するために本発明の受信装置は、異なるエリアにおいて異なる周波数帯で放送されている同一の番組放送を切替受信する受信部を備えた受信装置であって、受信部における前記番組放送の周波数帯の切替履歴を記憶する記憶部と、受信装置があるエリアから他のエリアに移動する場合、記憶部に記憶された切替履歴に基づいて、受信部に異なる周波数帯の前記番組放送を切替受信させる制御部とを有する。
【発明の効果】
【０００９】
これにより、受信装置が第１エリアから第２エリアに移動する場合、制御部は、記憶部に記憶された切替履歴に基づいて、同一の番組放送である確率が最も高い異なる周波数帯を選択する。その結果、異なる周波数帯における同一の番組放送を受信部が切替受信する可能性が高くなる。その結果、受信部が同一の番組放送を再び受信可能となるまでの時間を短縮することができる。
【発明を実施するための最良の形態】
【００１０】
（実施の形態１）
以下、本実施の形態における受信装置について図１および図２を用いて説明する。図１は本実施の形態における受信装置のブロック図である。
【００１１】
図１において、受信装置１は、例えば、車両に搭載されたラジオチューナーである。受信装置１は、アンテナ２と、アンテナ２の出力側に接続された受信部３とを有する。さらに、この受信部３の出力側に、復調部４と信号処理部５と再生部６とがこの順に接続されている。また、受信部３と復調部４と信号処理部５には制御部７が接続されている。そして、この制御部７には記憶部８が接続されている。
【００１２】
受信部３は、アンテナ２で受信されたＤＡＢ放送における複数の周波数帯の信号である複数のアンサンブルの中から、特定の周波数帯における番組放送であるサービスを選択し受信する。受信部３は、制御部７から、受信するべき周波数帯の情報および選択する番組放送の情報を受けることによって、特定の周波数帯の番組放送を受信する。なお、受信部３にて受信した番組放送は、復調部４で復調された後、信号処理部５でデコードされ、再生部６により再生される。
【００１３】
また、記憶部８は、受信部３が受信する番組放送ごとの周波数帯の切替履歴を記憶しており、その切替履歴は、制御部７によって、書き込み・読み出しが行われる。
【００１４】
ここで、同一の番組放送が異なる第１エリア、第２エリア、第３エリアにおいて、それぞれ異なる第１周波数帯、第２周波数帯、第３周波数帯で放送されている場合を想定する。この場合において、受信装置１の制御部７における周波数帯の切替処理の動作について、図２を参照しながら説明する。
【００１５】
初期状態として、受信装置１は、第１エリアに存在するとする。まず開始処理ステップＳ１において、制御部７は、第１周波数帯の番組放送を受信する旨の要求を検出する。この要求とは、例えば、外部からの第１周波数帯を受信する操作入力である。
【００１６】
次に、制御部７では、第１周波数帯の番組放送を受信する番組放送受信ステップＳ２が行われる。制御部７は、第１周波数帯の番組放送の情報を受信部３に供給し、受信部３が第１周波数帯の番組放送を受信する。
【００１７】
次に制御部７では、移動検出ステップＳ３が行われる。移動検出ステップＳ３では、制御部７は、なんらかの条件により、受信装置１の第１エリアから第２エリアへの移動を検出した場合、切替履歴読み出しステップＳ４を実施する。制御部７は、移動を検出しない場合、第１周波数帯の番組放送受信を継続し、適宜のタイミングで移動検出ステップＳ３を実施する。
【００１８】
切替履歴読み出しステップＳ４では、制御部７は、記憶部８から切替履歴を読み出す。次に制御部７は、第２周波数帯選択ステップＳ５を行う。第２周波数帯選択ステップＳ５では、制御部７は、切替履歴に基づいて、優先度の高い第２周波数帯を選択する。例えば、制御部７は、切替履歴より導出される切替頻度を用いて最も頻度の高い第２周波数帯の番組放送を切替先として選択する。切替履歴は、例えば、ＤＡＢ放送のアンサンブルに含まれるリンク先情報や、受信装置１に事前に蓄積されている受信履歴情報を検索することによって得られる同一番組放送の切替先情報などである。このとき、同一の番組放送において、２つ以上の切替先が示されることがある。制御部７は、これら２つ以上の切替先から１つを選択する場合に、単に受信履歴に基づいて切替先を選択するだけでは、受信装置１の移動特性とは無関係に第２周波数帯を選択してしまうことになる。この場合に第２周波数帯が同一の番組放送を含んでいない可能性が高くなり、その結果、さらに次の周波数帯を選択・受信する必要が発生するため、切替時間が長くなってしまう。そこで、切替履歴より導出される、受信装置１の移動特性に適応した切替先の優先度付けによって、第２周波数帯の同一の番組放送をより正確に選択できることが期待される。
【００１９】
次に、制御部７では、第２周波数帯の番組放送受信ステップＳ６が行われる。第２周波数帯の番組放送受信ステップＳ６では、制御部７が、上記選択した第２周波数帯の番組放送の情報を受信部３に供給することによって、受信部３が第２周波数帯の番組放送を切替受信する。
【００２０】
次に、制御部７では、切替履歴更新ステップＳ７が行われる。切替履歴更新ステップＳ７では、制御部７は、上記第１周波数帯から第２周波数帯への切替履歴を、記憶部８に書き込む。
【００２１】
このように、制御部７は、記憶部８に記憶された切替履歴に基づいて、同一の番組放送である確率が最も高い異なる周波数帯を選択する。その結果、異なる周波数帯における同一の番組放送を受信部３が切替受信する可能性が高くなる。その結果、受信部３が同一の番組放送を再び受信可能となるまでの時間を短縮することができる。
【００２２】
例えば、受信装置１が、毎日同じ範囲を移動する受信装置、もしくは車両に搭載されて通勤時に受信するラジオ受信装置である場合、通勤経路内での周波数帯の切替履歴は、高い頻度で記憶されるため、制御部７はこのような切替の優先度を判定することが可能となる。その結果、切替先として失敗する可能性の少ない第２周波数帯を選択可能となり、切替の時間を短縮することができる。
【００２３】
なお、受信部３は、ＤＡＢ放送の周波数帯を受信するものだけでなく、アナログ放送、デジタル放送のラジオ、テレビいずれでもあっても良い。このような場合でも、同一の番組放送が異なる周波数帯で放送されている場合、移動によって周波数帯を切り替える必要が生じたときに、切替時間を短縮することができる。
【００２４】
（実施の形態２）
以下、本実施の形態における受信装置について、図３と図４とを参照して説明する。なお、特に説明しない限りは実施の形態１と同様である。
【００２５】
図３は、実施の形態２における受信装置のブロック図である。図3において、受信部３と制御部７との間に受信品質検出部９が設けられている。受信品質検出部９は、受信部３で受信された周波数帯の信号の受信品質を検出し、その結果を制御部７に伝える。この受信品質は、例えば、受信強度や、受信信号のＢＥＲ（Ｂｉｔ  Ｅｒｒｏｒ  Ｒａｔｅ）である。
【００２６】
次に、受信装置１の制御部７における周波数帯の切替処理の動作について、図４を参照して説明する。図４における図２との相違点は、移動検出ステップＳ３における処理が異なる点である。
【００２７】
この移動検出ステップＳ３において、制御部７は、受信品質検出部９から受信品質情報を獲得し、その受信品質が任意の閾値よりも悪い状態が所定の時間続いた場合に、第１周波数帯から第２周波数帯への切替を決定する。なお、所定の時間経過を条件に入れた理由は、煩雑な切替を防ぐためである。
【００２８】
このように、制御部７は、任意の閾値と第１周波数帯の番組放送の受信品質とを比較することによって、受信装置１の移動を検出する。その結果、移動に伴う受信信号の周波数帯の切替において、移動を検出することによって、切替履歴による周波数帯切替の時間を短縮することができる。
【００２９】
なお、受信品質検出部９は、受信部３と同一のＩＣに含まれていても良いし、含まれていなくても良い。
【００３０】
（実施の形態３）
以下、本実施の形態における受信装置について、図５と図６とを参照して説明する。なお、特に説明しない限りは実施の形態１と同様である。
【００３１】
図５は、実施の形態３における受信装置のブロック図である。図５において、位置情報検出部１０が制御部７へ接続されている。位置情報検出部１０は、例えばＧＰＳ（Ｇｌｏｂａｌ Ｐｏｓｉｔｉｏｎｉｎｇ Ｓｙｓｔｅｍ）受信機からなり、受信装置１の地理的現在位置を検出し、その結果を制御部７に伝える。
【００３２】
次に、受信装置１の制御部７における周波数帯の切替処理の動作について、図６を参照して説明する。図６における図２との相違点は、移動検出ステップＳ３における処理が異なる点である。
【００３３】
この移動検出ステップＳ３において、制御部７は、位置情報検出部１０から位置情報を獲得し、特定の範囲に到達することをもって、受信装置１の第１エリアから第２エリアへの移動を検出する。
【００３４】
このように、制御部７は、位置情報検出部１０から供給される位置情報によって、受信装置１の移動を検出する。その結果、移動に伴う周波数帯の切替において、移動条件を検出することによって、切替履歴による周波数帯切替の時間を短縮することができる。
【００３５】
（実施の形態４）
以下、本実施の形態における受信装置について、図７と図８とを参照して説明する。なお、特に説明しない限りは実施の形態１と同様である。
【００３６】
図７は、実施の形態４における受信装置のブロック図である。図７において、時刻保持部１１が記憶部８及び制御部７に接続されている。時刻保持部１１は、例えば、内蔵のＲＴＣ（Ｒｅａｌ  Ｔｉｍｅ  Ｃｌｏｃｋ）、マイコンなどのタイマ機能、または、無線放送や無線通信によって、外部から供給される時刻を保持するブロックである。時刻保持部１１は、切替発生時点の時刻を切替履歴の一部として記憶部８に記憶する。また、制御部７は、受信装置１が第１エリアから第２エリアに移動する場合、時刻保持部１１からの時刻情報と記憶部８に記憶された切替履歴に基づいて、受信部３に第２周波数帯の番組放送を切替受信させる。
【００３７】
次に、受信装置１の制御部７における周波数帯の切替処理の動作について、図８を参照して説明する。図８における図２との相違点は、移動検出ステップＳ３の後に、時刻情報読み出しステップＳ８が設けられている点である。
【００３８】
この時刻情報読み出しステップＳ８において、制御部７は、時刻保持部１１から時刻情報を獲得する。獲得した時刻情報は、切替の選択を実施する第２周波数帯選択ステップＳ５において、次のように使用される。
【００３９】
第２周波数帯選択ステップＳ５において、制御部７は、切替履歴に基づいて第２周波数帯を選択する際に、切替履歴の一部として記憶されている時刻情報と時刻保持部１１からの現在の時刻情報とを比較し、現在の時刻情報から所定の範囲内である切替履歴における時刻情報に基づいて、第２周波数帯を選択する。
【００４０】
さらに、切替履歴更新ステップＳ７において、制御部７は、記憶部８の切替履歴を更新する場合に、切替履歴の一部として、上記現在の時刻情報を記憶部８に記憶する。
【００４１】
このように、時刻保持部１１からの時刻情報を切替履歴の一部として記憶し、切替履歴の時刻と現在の時刻を比較することによって、より一層、受信装置１の行動特性に適応した周波数帯を選択することができる。その結果、周波数帯の番組放送切替の時間をさらに短縮することができる。例えば、受信装置１が通勤時の車両に備えられた受信装置である場合、朝9時の出勤時は、第１周波数帯から第２周波数帯への切替が発生することが多く、午後５時の帰宅時は、第２周波数帯から第３周波数帯への切替が発生することが多い、という現在時刻に依存した切替頻度を制御部が判断することが可能となる。
【００４２】
（実施の形態５）
以下、本実施の形態における受信装置について、図９と図１０とを参照して説明する。なお、特に説明しない限りは実施の形態１と同様である。
【００４３】
図９は、実施の形態５における受信装置のブロック図である。図９において、演算部１２が記憶部８と制御部７とに接続されている。演算部１２は、記憶部８の切替履歴を読み出して、最初に選択した第１周波数帯を先頭要素とする切替リストを導出し、その結果を記憶部８に記憶する。この切替リストは、例えば、切替元に対して切替先を切替頻度順に.並べたものである。なお、この切替リストの要素を順に切替先として選択することによって、例えば、カーナビゲーションの経路のように、切替情報の経路を保持することが可能となる。
【００４４】
次に、受信装置１の制御部７における周波数帯の切替処理の動作について、図１０を参照して説明する。図１０における図２との相違点は、移動検出ステップＳ３の前に、切替履歴読み出しステップＳ４と、切替リスト作成・記憶ステップＳ９とが順に設けられ、移動検出ステップＳ３の後に、切替リスト読み出しステップＳ１０が設けられている点である。
【００４５】
この切替履歴読み出しステップＳ４において、制御部７は、記憶部８から切替履歴情報を獲得する。獲得した切替履歴情報は、演算部１２に供給される。切替リスト作成・記憶ステップＳ９において、制御部７は、上記切替履歴情報を演算部１２に供給し、所定の方法によって、演算部１２によって切替リストを導出させる。そして、この切替リストは記憶部８に記憶される。
【００４６】
切替リスト読み出しステップＳ１０において、制御部７は、切替先情報として、記憶部８から切替リストの要素を読み出す。この動作は、実施の形態１と比較すると、切替履歴に基づいた切替先の選択処理を省くことが可能となるため、切替動作の時間をさらに短縮することができる。
【００４７】
（実施の形態６）
以下、本実施の形態における受信装置について、図１１と図１２とを参照して説明する。なお、特に説明しない限りは実施の形態１と同様である。
【００４８】
図１１は、実施の形態６における受信装置のブロック図である。図１１において、操作部１３が設けられている。操作部１３として、例えば、キー入力やリモコン入力、または、表示機能をもったタッチパネルなどが想定される。本実施の形態の受信装置は、記憶部８に記憶された切替履歴に基づいて、異なる周波数帯を選択するか否かが選択可能である。
【００４９】
次に、受信装置１の制御部７における周波数帯の切替処理の動作について、図１２を参照して説明する。図１２において、切替受信モードを選択した場合、後の処理は図２、図４、図６、図８、図１０と同様である。
【００５０】
開始処理Ｓ１においては、制御部７は操作部からの入力を待っている。次に切替モードＯＮステップＳ１１において、使用者が操作部を通して、切替モードを選択することにより、制御部７が切替モードを選択する。切替モードがＯＮの場合は、切替有効ステップＳ１２となり、制御部７は、切替履歴または切替リストに基づく周波数帯の切替を有効として、これ以降の処理としては、実施の形態１、２、３、４、５と同様である。一方、切替モードがＯＦＦの場合は、切替無効ステップＳ１３となり、以降の制御部７は、切替処理において、切替履歴または切替リストに基づいた周波数帯の切替処理を実施しない。
【００５１】
このように、使用者の意図によって、事前に切替履歴または切替リストのモードのＯＮ／ＯＦＦを選択することが可能となる。この結果、切替履歴または切替リストが有効となる行動範囲での移動の場合は、モードＯＮが選択され、そうでなく、低い頻度で実施される例えば旅行などの移動に対してはモードＯＦＦが選択されることによって、不必要な周波数帯の切替を防止することができる。
【産業上の利用可能性】
【００５２】
本発明の受信装置は、ある番組放送における周波数帯の切替処理時において、切替履歴によって使用者の行動特性に応じた適切な切替先周波数帯を選択し、切替時間を短縮することができ、車両に搭載された放送を受信するテレビやラジオ、また、携帯端末などの移動体において利用できる。
【図面の簡単な説明】
【００５３】
【図１】本発明の実施の形態１における受信装置のブロック図
【図２】本発明の実施の形態１における受信装置の動作のフローチャート
【図３】本発明の実施の形態２における受信装置のブロック図
【図４】本発明の実施の形態２における受信装置の動作のフローチャート
【図５】本発明の実施の形態３における受信装置のブロック図
【図６】本発明の実施の形態３における受信装置の動作のフローチャート
【図７】本発明の実施の形態４における受信装置のブロック図
【図８】本発明の実施の形態４における受信装置の動作のフローチャート
【図９】本発明の実施の形態５における受信装置のブロック図
【図１０】本発明の実施の形態５における受信装置の動作のフローチャート
【図１１】本発明の実施の形態６における受信装置のブロック図
【図１２】本発明の実施の形態６における受信装置の動作のフローチャート
【図１３】従来の受信装置のブロック図
【符号の説明】
【００５４】
１  受信装置
２  アンテナ
３  受信部
７  制御部
８  記憶部
【図１】
2007129389.tif 000003
【図２】
2007129389.tif 000004
【図３】
2007129389.tif 000005
【図４】
2007129389.tif 000006
【図５】
2007129389.tif 000007
【図６】
2007129389.tif 000008
【図７】
2007129389.tif 000009
【図８】
2007129389.tif 000010
【図９】
2007129389.tif 000011
【図１０】
2007129389.tif 000012
【図１１】
2007129389.tif 000013
【図１２】
2007129389.tif 000014
【図１３】
2007129389.tif 000015